(57)【要約】      （修正有）【課題】簡単な構成でありながらも常時首から吊り下げ保持でき、首や肩のマッサージが可能となる指圧具を提供する。【解決手段】社員証、携帯電話、カードキー、ＩＣカード等の被吊り下げ物２を首から吊り下げ保持するストラップ３を、指圧突起５を設けたプレート４に装着する構成で、指圧突起５の基端にストラップ３を挿入係止するスリット６を径方向に沿って開設し、或いはプレート４に一対の指圧突起５を設けると共に、一対の指圧突起５の間に、指圧突起５のスリット６の開口方向とは逆方向に開口してストラップ３を挿入係止するＬ字形状のフック７を設ける構成とする。【選択図】図１
0003217918.tif 000002
【実用新案登録請求の範囲】
【請求項１】
社員証、携帯電話、カードキー、ICカード等の被吊り下げ物（２）を首から吊り下げ保持するストラップ（３）を、指圧突起（５）を設けたプレート（４）に装着したことを特徴とする指圧具。
【請求項２】
指圧突起（５）の基端に、ストラップ（３）を挿入係止するスリット（６）を径方向に沿って開設したことを特徴とする請求項１に記載の指圧具。
【請求項３】
プレート（４）に一対の指圧突起（５）を設けると共に、該一対の指圧突起（５）の間に、指圧突起（５）のスリット（６）の開口方向とは逆方向に開口してストラップ（３）を挿入係止するＬ字形状のフック（７）を設けたことを特徴とする請求項２に記載の指圧具。
【考案の詳細な説明】
【技術分野】
【０００１】
本考案は、常時首から吊り下げ保持でき、首や肩のマッサージが可能となる指圧具に関するものである。
【背景技術】
【０００２】
常時携帯しなければならない物品、そしてそれをいつでも使用できるようにしていなければならない物品、例えば携帯電話、メール携帯機器、社員身分証、カードキー、ICカード等は、紛失の虞がなく且つ直ちに使用可能であるようにするために、首から吊り下げておくことが現在では常態化している。
【０００３】
また、電子機器での作業が多い現代では、眼精疲労や手先の作業に伴う肩凝り、首の凝りが常にあり、その解消のために首や肩をマッサージすることが往々にある。そこで、携帯電話等を吊り下げるストラップにマッサージ具を装着する構成として以下のような提案がなされている。
【先行技術文献】
【特許文献】
【０００４】
【特許文献１】実用新案登録第３１１７６７２号公報
【特許文献２】実用新案登録第３１２８６４４号公報
【特許文献３】実用新案登録第３１５０２６７号公報
【考案の概要】
【考案が解決しようとする課題】
【０００５】
上記した特許文献１の考案では、所定の鉱石をストラップに固着した健康器具の構成が開示されているが、鉱石の発生するマイナスイオンを利用するものであって、指圧効果は期待できない。また、鉱石を使用するので製造コストが嵩み、鉱石が固着されているために紐としてのストラップの柔軟性に欠け、使用を続けているうちに鉱石が脱落してしまう虞もある。
【０００６】
また、特許文献２の考案は、ストラップに指の指圧具を装着した構成であって、この指圧具は例えば携帯電話のアクセサリーとしてストラップで繋いでいるものに過ぎない。そして特許文献３の考案は主として掌のマッサージ具であり、同様にストラップを介して携帯電話と繋げるに過ぎないものである。
【０００７】
よって本考案は、上述した従来技術の欠点、不都合、不満を解消するべく考案されたものであって、簡単な構成でありながらも常時首から吊り下げ保持でき、首や肩のマッサージが可能となるようにすることにある。
【課題を解決するための手段】
【０００８】
上記課題を解決するため、本考案の指圧具は、社員証、携帯電話、カードキー、ICカード等の被吊り下げ物を首から吊り下げ保持するストラップを、指圧突起を設けたプレートに装着した構成である。
【０００９】
この場合、指圧突起の基端に、ストラップを挿入係止するスリットを径方向に沿って開設する。
【００１０】
また、プレートに一対の指圧突起を設けると共に、この一対の指圧突起の間に、前記した指圧突起のスリットの開口方向とは逆方向に開口してストラップを挿入係止するＬ字形状のフックを設けた構成とする。
【考案の効果】
【００１１】
従って、社員証等の被吊り下げ物を保持して常時首から吊り下げているストラップに指圧突起を設けたプレートが装着されているので、何らかの作業をしている途中で、例えば手を止めて思考する最中にプレートを把持して指圧突起で首や肩の凝ってる部分を指圧刺激することができ、適度のマッサージ効果が得られ、血行を良くすることができるのである。
【００１２】
指圧突起の基端には径方向に沿ってスリットが開設されているので、このスリット部分にストラップを挿入すればプレートを確実に係止保持することができ、また不要の際には簡単に取り外すこともできる。
【００１３】
プレートに一対の指圧突起を設け、夫々にスリットを開設すればストラップに対するプレートの保持がより安定し、また、この一対の指圧突起の間に、指圧突起のスリットの開口方向とは逆方向に開口してストラップを挿入係止するＬ字形状のフックを設ければ、ストラップに対するプレートの係止保持が更に確実に達成される等、多くの優れた作用効果を奏する。
【図面の簡単な説明】
【００１４】
【図１】本考案の指圧具の斜視図である。
【図２】（ａ）はプレートの裏面斜視図、（ｂ）はプレートの裏面図である。
【図３】（ａ）はプレートの平面図、（ｂ）はＡ−Ａ線断面図、（ｃ）はＢ−Ｂ線断面図である。
【考案を実施するための形態】
【００１５】
本考案の指圧具１は、社員証、携帯電話、カードキー、ICカード等の被吊り下げ物２を首から吊り下げ保持するストラップ３を、指圧突起５を設けたプレート４に装着した構成で、指圧突起５の基端に、ストラップ３を挿入係止するスリット６を径方向に沿って開設し、また指圧突起５を一対設けると共に、この一対の指圧突起５の間に、指圧突起５のスリット６の開口方向とは逆方向に開口してストラップ３を挿入係止するＬ字形状のフック７を設けた構成とする。
【実施例】
【００１６】
被吊り下げ物２としては、セキュリティの観点から常時携帯しなければならず且つ直ちに提示できるようにしていなければならない社員身分証や、携帯電話、メール携帯機器、交通定期券、カードキー、ICカード、更には小型カメラ、ホイッスル等が想定され、紛失の虞がなく且つ直ちに使用可能であるようにするために、ストラップ３を介して首から吊り下げるようにすることが多い。
【００１７】
提げ紐としてのストラップ３は例えば幅１０ｍｍ、厚み２ｍｍ程度までの平紐を想定している。
【００１８】
プレート４の成形材料としてはＡＢＳ樹脂が望ましい。ＡＢＳ樹脂は、剛性、硬度、加工性、耐衝撃性、曲げ疲労性等の機械的特性のバランスに優れ、表面の美感、印刷特性にも優れており、指圧具として最適であるからである。図示実施例では、外観体裁の点から結んだリボンの横長シルエットを表しているが、動物やキャラクターの形状を具現したものも考えられる。
【００１９】
プレート４は首や肩の湾曲に対応して湾曲しており（図３（ａ）参照）、湾曲内面である裏面に一対の指圧突起５が左右に並列する形態で設けられることになる。
【００２０】
この指圧突起５は、突出先端部５ａが首や肩の凝ってる部分に当接した際に適度の指圧刺激が可能なように滑らかに表面加工されており、指圧突起５の基端部５ｂに開設されるスリット６は下端が開放される形態で径方向に沿って設けられるが、図３（ｃ）から理解されるように挿入部６ａから奥の収納部６ｂにかけてクランク状に屈曲しており、挿入部６ａから挿入されたストラップ３は収納部６ｂに入って確実に係止される。
【００２１】
また、一対の指圧突起５の中間に設けられるフック７は、上端が開放されたＬ字形状であり、ストラップ３が布製で滑り易いようなものの場合は、ストラップ３を一対の指圧突起５の夫々のスリット６に下方から挿入すると共に、フック７に上方から挿入し、上下から係止保持できるようにする。尚、このフック７部分での係止をより確実にするため、フック７の内面に係止条７ａを設けると良い。
【符号の説明】
【００２２】
１  指圧具
２  被吊り下げ物
３  ストラップ
４  プレート
５  指圧突起
５ａ  先端部
５ｂ  基端部
６  スリット
６ａ  挿入部
６ｂ  収納部
７  フック
７ａ  係止条
【図１】
0003217918.tif 000003
【図２】
0003217918.tif 000004
【図３】
0003217918.tif 000005